(57)【要約】【課題】  既存の家屋等においても、薄型モニターを簡易にかつ適切に低コストで任意の場所に壁掛け状態とすることができる。【解決手段】  家具１０は、モニター機器を掛けて取り付けることができる壁面部１２と、この壁面部１２を支持する基台１４とを備え、設置箇所の壁面から独立している。この壁面部１２は、モニター機器の幅及び高さよりも大きな幅及び高さを有し、モニター機器を支持する金具を壁面部１２の前面に固定する固定具が貫通する複数の貫通孔する。壁面部１２は、裏面に壁面部１２に取り付けられる枠状の形状の補強部材１６を備え、この補強部材１６は、複数の貫通孔に対応する位置に固定具が取り付けられる挿入孔１６ａを有する。【選択図】        図６
2008000340.tif 000002
【特許請求の範囲】
【請求項１】
テレビ受像機その他のモニター機器を掛けて取り付けることができる壁面部と前記壁面部を支持する基台とを備え、設置箇所の壁面から独立している家具であって、前記壁面部は、前記モニター機器の幅及び高さよりも大きな幅及び高さを有することを特徴とする家具。
【請求項２】
請求項１に記載された家具であって、前記壁面部は、裏面に前記壁面部に取り付けられる補強部材を備えていることを特徴とする家具。
【請求項３】
請求項２に記載された家具であって、前記補強部材は、枠状の形状を有することを特徴とする家具。
【請求項４】
請求項２又は請求項３のいずれかに記載された家具であって、前記補強部材は、前記基台の裏側まで延びるように設置されていることを特徴とする家具。
【請求項５】
請求項１乃至請求項４のいずれかに記載された家具であって、前記壁面部は、前記モニター機器を支持する金具を前記壁面部の前面に固定する固定具が貫通する貫通孔を備えていることを特徴とする家具。
【請求項６】
請求項５に記載された家具であって、前記壁面部は、複数の前記貫通孔を有し、前記固定具が前記モニター機器の取付位置に合わせて前記複数の貫通孔のうちの任意の貫通孔を貫通することを特徴とする家具。
【請求項７】
請求項５又は請求項６のいずれかに記載された家具であって、前記補強部材は、前記壁面部に形成された貫通孔に対応する位置に前記固定具が取り付けられる挿入孔を有し、前記挿入孔により前記固定具を支持することを特徴とする家具。
【請求項８】
請求項１乃至請求項７のいずれかに記載された家具であって、前記家具は、前記壁面部の裏面において前記固定具を保持する保持部材を更に備えていることを特徴とする家具。
【請求項９】
請求項８に記載された家具であって、前記保持部材は、前記補強部材に当接することを特徴とする家具。
【請求項１０】
請求項８又は請求項９のいずれかに記載された家具であって、前記保持部材が、前記壁面部の前記複数の貫通孔の全てに跨って設置されていることを特徴とする家具。
【請求項１１】
請求項５乃至請求項１０のいずれかに記載された家具であって、前記固定具が、ボルトであることを特徴とする家具。
【請求項１２】
請求項８乃至請求項１１のいずれかに記載された家具であって、前記保持部材が、前記固定具が貫通する金属板であることを特徴とする家具。
【発明の詳細な説明】
【技術分野】
【０００１】
本発明は、例えば、住居のリビング等に設置されて、特に薄型テレビ等のモニター機器を支持するテレビ台となる家具の改良に関し、特に、既存の家屋等においても、薄型モニターを簡易にかつ適切に壁掛け状態とすることに関するものである。
【背景技術】
【０００２】
近年、著しく普及が進んでいる液晶テレビ、プラズマテレビ等の薄型のモニター機器においては、その薄さを利用して、スペースを有効利用すべく、下方から支持するのではなく、家屋の壁面に直接取付けられることが多い。
【０００３】
この場合、新築の家屋等においては、充分な強度を有する家屋自体の壁面に、あるいは、この家屋自体の壁面の凹部等に固定して取り付けられる括り付けの家具に、薄型のモニター機器を取り付けられる構造を予め設定して、対応することが一般的である（例えば、特許文献１等参照）。
【０００４】
しかし、既存の家屋等の場合には、木造であっても、その壁面に薄型モニターの壁掛け構造を設定するには、大掛かりなリフォームが必要となり、また、その結果、多大なコストを要する問題がある。また、鉄筋コンクリート製の建物の場合には、躯体自体に壁掛け構造を設定することが困難な場合があり、特に、マンションなどの区分所有の建物においては、管理規定等の規則上、共有部分には容易に変更を加えられない問題もあり、既存の家屋において、モニター機器を壁掛け状態にすることは、事実上困難である問題があった。
【０００５】
一方、壁掛け用の構造が予め設定された新築の家屋等においても、一度設定された壁掛け構造は、その設置位置を変更することはできないため、モニター機器の設置箇所が限定されてしまい、模様替え等の際の家具の配置に制限が加わると共に、その設置箇所を変更しようとする徒、上記の既存の家屋と同様に、大掛かりなリフォーム等を要する問題がある。
【０００６】
この場合、テレビボード等の後から設置する家具の壁面に、モニターを取り付けることをも考えられるが、近年のモニター機器は、大型化しているため、取付けには、充分な大きさの壁面部を要すると共に、家具の方が小さい場合には、ユーザーが壁掛け感覚を体感することができない問題もある。特に、この場合、大型のモニター機器にあっては、重量も嵩むため、充分な強度を確保しないと、モニター機器を適切に保持することができないと同時に、家具自体が破損するおそれもある。
【特許文献１】特開２００６−２８８７２号公報
【発明の開示】
【発明が解決しようとする課題】
【０００７】
本発明が解決しようとする課題は、上記の問題点に鑑み、既存の家屋等においても、薄型モニターを簡易にかつ適切に低コストで任意の場所に壁掛け状態とすることができる家具を提供することにある。
【課題を解決するための手段】
【０００８】
本発明は、上記の課題を解決するための第１の手段として、テレビ受像機その他のモニター機器を掛けて取り付けることができる壁面部とこの壁面部を支持する基台とを備え、設置箇所の壁面から独立している家具であって、この壁面部は、モニター機器の幅及び高さよりも大きな幅及び高さを有することを特徴とする家具を提供するものである。
【０００９】
本発明は、上記の課題を解決するための第２の手段として、上記第１の解決手段において、壁面部は、裏面に壁面部に取り付けられる補強部材を備えていることを特徴とする家具を提供するものである。
【００１０】
本発明は、上記の課題を解決するための第３の手段として、上記第２の解決手段において、補強部材は、枠状の形状を有することを特徴とする家具を提供するものである。
【００１１】
本発明は、上記の課題を解決するための第４の手段として、上記第２又は第３のいずれかの解決手段において、補強部材は、基台の裏側まで延びるように設置されていることを特徴とする家具を提供するものである。
【００１２】
本発明は、上記の課題を解決するための第５の手段として、上記第１乃至第４のいずれかの解決手段において、壁面部は、モニター機器を支持する金具を壁面部の前面に固定する固定具が貫通する貫通孔を備えていることを特徴とする家具を提供するものである。
【００１３】
本発明は、上記の課題を解決するための第６の手段として、上記第５の解決手段において、壁面部は、複数の貫通孔を有し、固定具がモニター機器の取付位置に合わせて複数の貫通孔のうちの任意の貫通孔を貫通することを特徴とする家具を提供するものである。
【００１４】
本発明は、上記の課題を解決するための第７の手段として、上記第５又は第６のいずれかの解決手段において、補強部材は、壁面部に形成された貫通孔に対応する位置に固定具が取り付けられる挿入孔を有し、挿入孔により固定具を支持することを特徴とする家具を提供するものである。
【００１５】
本発明は、上記の課題を解決するための第８の手段として、上記第１乃至第７のいずれかの解決手段において、家具は、壁面部の裏面において固定具を保持する保持部材を更に備えていることを特徴とする家具を提供するものである。
【００１６】
本発明は、上記の課題を解決するための第９の手段として、上記第８の解決手段において、保持部材は、補強部材に当接することを特徴とする家具を提供するものである。
【００１７】
本発明は、上記の課題を解決するための第１０の手段として、上記第８又は第９のいずれかの解決手段において、保持部材が、壁面部の複数の貫通孔の全てに跨って設置されていることを特徴とする家具を提供するものである。
【００１８】
本発明は、上記の課題を解決するための第１１の手段として、上記第５乃至第１０のいずれかの解決手段において、固定具が、ボルトであることを特徴とする家具を提供するものである。
【００１９】
本発明は、上記の課題を解決するための第１２の手段として、上記第８乃至第１１のいずれかの解決手段において、保持部材が、固定具が貫通する金属板であることを特徴とする家具を提供するものである。
【発明の効果】
【００２０】
本発明によれば、上記のように、建物の壁面から独立した家具において、モニター機器よりも大きな幅及び高さを有する壁面部を設置しているため、既存の家屋においても家屋の壁面自体に加工をすることなく簡易にかつ低コストで、任意の箇所にてユーザーが壁掛け感覚を適切に体感することができると共に、充分な強度を確保してモニター機器を適切に保持することができる実益がある。
【００２１】
本発明によれば、上記のように、建物の壁面から独立した家具の壁面部の裏面に補強部材を設置しているため、壁面部の強度が向上するため、壁面部を大きく形成して大型のモニター機器を取り付けても、モニター機器を適切に、かつ、確実に保持することができる実益がある。
【００２２】
また、本発明によれば、上記のように、壁面部に、モニター機器を支持する金具を壁面部の前面に固定するボルト等の固定具が貫通する複数の貫通孔を設定し、固定具を任意の貫通孔を貫通させることができるため、モニター機器を、その取付金具の形状や、ユーザーの希望する高さ位置に合わせて調整して、適切に設置することができる実益がある。
【００２３】
この場合、特に、本発明によれば、上記のように、補強部材自体にも、壁面部の貫通孔に対応する位置にボルト等の固定具の挿入孔を形成しているため、より一層、強固に、かつ、確実に、モニター機器を固定することができる実益がある。
【００２４】
また、本発明によれば、上記のように、ボルト等の固定具を保持する保持部材を更に設けているため、強固に、かつ、確実に、モニター機器を固定することができると共に、この保持部材を枠状等の補強部材に当接させて、モニター機器の保持強度を向上することができると共に、この保持部材を壁面部の複数の貫通孔に対応する任意の箇所に、あるいは、予め複数の全ての貫通孔に対応する位置に設置しているため、いずれの高さ位置にモニター機器を設置しても、適切に対応することができる実益がある。
【発明を実施するための最良の形態】
【００２５】
本発明の実施の形態を図面を参照しながら詳細に説明すると、図１乃至図６は、本発明の家具１０を示し、この家具１０は、図１乃至図６に示すように、壁面部１２と、この壁面部１２を支持する基台１４とを備えている。また、この家具１０は、図示しない家屋等の設置箇所の壁面に固定して取り付けられるものではなく、図１乃至図６に示すように、図示しない設置箇所の壁面から独立している。なお、この場合、壁面から独立とは、本発明の家具１０を本来の用途（モニター機器１の設置）に使用する場合において、壁面に固定することを必須としていない、との意味であり、例えば、地震等による転倒防止等の別の目的のために、別途の器具により転倒防止策を講ずるために壁面に固定することを排除するものではない。
【００２６】
この壁面部１２は、特に、図５に示すように、テレビ受像機その他のモニター機器１を掛けて取り付けることができる。即ち、モニター機器１を下方から支持するのではなく、壁面部１２によりモニター機器１の背面を支持して、壁掛け状に保持する。この壁面部１２は、図５に示すように、モニター機器１の幅及び高さよりも大きな幅及び高さを有する。なお、モニター機器１は、薄型で壁掛け状態で使用されることも予定されているものであれば、液晶テレビ、液晶ディスプレイ、プラズマテレビ、プラズマディスプレイ、プロジェクター用スクリーン等、特にその種類は問わない。
【００２７】
このように、建物の壁面から独立した家具１０において、モニター機器１よりも大きな幅及び高さを有する壁面部１２を設置しているため、既存の家屋においても家屋の壁面自体に加工をすることなく簡易にかつ低コストで、任意の箇所にてユーザーが壁掛け感覚を適切に体感することができると共に、充分な強度を確保してモニター機器１を適切に保持することができる。
【００２８】
なお、この壁面部１２は、木製材料から形成することができ、充分な強度を確保することができれば、特に限定はないが、例えば、表面側をパーチ板から形成し、これに中質繊維板（ミディアム・デンシティ・ファイバーボード：ＭＤＦ）を裏側から嵌め込むように貼付して、充分な厚みに、具体的には、１５ｍｍ前後の厚み（パーチ板９ｍｍ、ＭＤＦ５ｍｍ等）に形成することが好ましい。あるいは、この場合におけるパーチ板とＭＤＦとを入れ替えて、同様に形成することもできる。同様に、充分な強度を確保するため、特に図２に示すように、基台１４の背面部まで伸びて、この基台１４により支持することが望ましい。
【００２９】
また、この壁面部１２は、図１乃至図４及び図６に示すように、裏面に壁面部１２に取り付けられる補強部材１６を備えている。この補強部材１６は、壁面部１２を上記のように比較的大きく形成して大型のモニター機器１を取り付けても、モニター機器１を適切に、かつ、確実に保持することができるように、壁面部１２の強度を向上させるためのものである。
【００３０】
従って、この補強部材１６は、充分な強度を有する鋼等の金属製材料から形成することが望ましく、また、特に、図３及び図６に示すように、少なくとも、壁面部１２の裏面の一定の範囲ににわたって取り付けられる枠状の形状とすることが好ましい。特に、モニター機器の充分な保持強度を確保するためには、特に、図３及び図６に示すように、補強部材１６は、基台１４の裏側まで延びるように設置することが望ましい。なお、この補強部材１６の壁面部１２への取付は、組み付けの容易性と充分な取付強度を確保することができれば、特に限定はないが、例えば、図示しないボルトによる締付等の方法を採ることができる。
【００３１】
更に、この壁面部１２は、図１及び図３、図に示すように、モニター機器１を支持する金具２（図７参照）を、壁面部１２の前面に固定する固定具３が貫通する貫通孔１２ａを備えている。なお、この金具２や、固定具３は、モニター機器１に付属の部品を使用することができるが、図示の実施の形態では、図７（Ａ）に示すように、固定具３がボルト３Ａである場合が示され、このボルト３Ａを貫通させることができる貫通孔１２ａとする。なお、図１乃至図３において、符号１２ｂは、モニター機器１等に接続するケーブル等を配線するための配線孔を示す。
【００３２】
この場合、図１及び図３、図７に示す実施の形態のように、壁面部１２には、複数の貫通孔１２ａを形成することが望ましい。これらの複数の貫通孔１２ａは、家具１０の高さ方向において、所定の間隔を空けて形成することができる。これにより、モニター機器１の取付位置や、また、モニター機器１の金具の取付部材の位置等に合わせて、任意の貫通孔１２ａに固定具３であるボルト３Ａを貫通させることができ、モニター機器１を、その取付金具の形状や、ユーザーの希望する高さ位置に合わせて調整して、適切に設置することができる。なお、図１及び図３、図７に示す実施の形態では、左右に２列並んだ貫通孔１２ａを高さ方向に３段階設定して、計６つの貫通孔１２ａが形成されているのが示されているが、その配置や設定個数に特に限定はなく、必要に応じて、適宜設定することができる。
【００３３】
一方、この固定具３であるボルト３Ａは、壁面部１２に直接締め付けることもできるが、特に、図６に示すように、補強部材１６に、壁面部１２に形成された貫通孔１２ａに対応する位置にも支持枠体１６Ａを配置して、この支持枠体１６Ａに固定具３であるボルト３Ａが取り付けられる挿入孔１６ａを形成し、この挿入孔１６ａに固定具３であるボルト３Ａを取り付けて、支持することが望ましい。これにより、同時に補強部材１６の壁面部１２Ａへの取付強度も向上する。
【００３４】
なお、この図６に示す実施の形態においては、この挿入孔１６ａへの固定具３により、同時に、補強部材１６の壁面部１２への固定を行うこともでき、図６に示すように、補強部材１６の支持枠体１６Ａに、高さ方向に多数の挿入孔１６ａを形成することにより、補強部材１６自体の高さ方向への位置も、モニター機器１の設置高さに合わせて調整して、適切に強度を向上させることもできる。
【００３５】
また、この固定具３であるボルト３Ａの取付けは、図１及び図３、図７に示す実施の形態のように、壁面部１２の裏面において固定具３を保持する保持部材１８により行うこともできる。具体的には、保持部材１８として、図３及び図７に示すように、ボルト３Ａ等の取付孔を有する鋼板等の金属板１８Ａを用い、この金属板１８Ａを介して、ボルト３Ａ等の固定具を取り付けることができる。
【００３６】
この場合、図３及び図７に示すように、この金属板１８Ａ等の保持部材１８を、枠状の形状を有する補強部材１６の左右の枠体間の幅に合わせて形成して、金属板１８Ａ等の保持部材１８を、補強部材１８に当接させることにより、金属板１８Ａ等の保持部材１８を左右から固定するように配置することができる。これにより、保持部材１８の変位を抑制することができると同時に、枠体上の補強部材１８の保持強度も相乗的に向上させることができる。
【００３７】
この保持部材１８は、図３及び図７に示す実施の形態では、１つの保持部材１８（金属板１８Ａ）が、左右一列の貫通孔１２ａに同時に対応できる幅を有しているのが示されている。従って、この実施の形態では、高さ方向に３段階に設定された貫通孔１２ａのうち、固定具３を貫通させるべき高さ位置に形成された貫通孔１２ａに合わせて配置して、固定具３を支持することができる。
【００３８】
但し、保持部材１８は、必ずしも、この形態に限定されるものではなく、他に、例えば、各単数の貫通孔１２ａ毎に対応する大きさに形成することもできる。これによれば、固定具３の取付位置に、きめ細かに対応することができる。一方、金属板１８Ａ等の保持部材１８は、複数の貫通孔１２ａ全てに跨って設置することができる大きさに形成した上で、全ての貫通孔１２ａに対応する位置に取付孔を形成することもでき、これによれば、特に、保持部材１８の位置を調整することなく、高さ調整に簡易に対応することができる。
【産業上の利用可能性】
【００３９】
本発明は、近年広く普及しつつある液晶テレビ、プラズマテレビ等の薄型のモニター機器の壁掛け状設置に、新築、既存の家屋を問わず、適用することができ、その他、例えば、絵画等の壁に掛けて使用される物品の保持に広く適用することもできる。
【図面の簡単な説明】
【００４０】
【図１】本発明の家具の正面図である。
【図２】本発明の家具の側面図である。
【図３】本発明の家具の背面図である。
【図４】本発明の家具に用いられる壁面部の横断面図である。
【図５】本発明の家具の使用状態を示す正面図である。
【図６】本発明の家具の他の実施の形態の背面斜視図である。
【図７】図７は、本発明の家具の使用状態を示し、同図（Ａ）はその側面図、同図（Ｂ）はその正面図、同図（Ｃ）はその背面図である。
【符号の説明】
【００４１】
１  モニター機器
２  金具
３  固定具
３Ａ  ボルト
１０  家具
１２  壁面部
１２ａ  貫通孔
１２ｂ  配線孔
１４  基台
１６  補強部材
１６Ａ  支持枠体
１６ａ  挿入孔
１８  保持部材
１８Ａ  金属板
【図１】
2008000340.tif 000003
【図２】
2008000340.tif 000004
【図３】
2008000340.tif 000005
【図４】
2008000340.tif 000006
【図５】
2008000340.tif 000007
【図６】
2008000340.tif 000008
【図７】
2008000340.tif 000009